(57)【要約】【課題】無関係光による影響から受光素子を保護するための十分な遮光性を確保することが可能な通信光可視化モジュールを提供する。【解決手段】複数の通信光可視化アダプタ１０３と、複数の通信光可視化アダプタ１０３が並列して配置される底面１０４と、底面１０４の縁部の上方に向けて起立して形成される下側壁面１０５と、を有し、光に対して不透明である下側筐体１０６と、下側筐体１０６を被覆する天面１０７と、天面１０７の縁部の下方に向けて起立して形成されると共に下側壁面１０５と接触する上側壁面１０８と、を有し、光に対して不透明である上側筐体１０９と、蓋部材１１０と、を備え、下側筐体１０６は、下側前面部１１２の更に上方に向けて起立して形成されると共に上側壁面１０８が形成されていない天面１０７の縁部に接触する遮光面１２１を更に有する通信光可視化モジュールである。【選択図】図１
2015200708.tif 000002
【特許請求の範囲】
【請求項１】
漏洩光が取り出される光取出孔とコネクタが嵌挿される嵌挿口とを有する複数の通信光可視化アダプタと、
複数の前記通信光可視化アダプタが前記光取出孔を上方に向けると共に前記嵌挿口を側方に向けて縁部の一辺に沿わせるように並列して配置される底面と、前記底面を囲繞するように前記底面の縁部の上方に向けて起立して形成されると共に前記嵌挿口が配置される位置に形成されたコネクタ嵌挿用開口を有する下側壁面と、を有し、光に対して不透明である下側筐体と、
前記下側筐体を被覆する天面と、前記嵌挿口が配置される位置以外の前記下側壁面を囲繞するように前記天面の縁部の下方に向けて起立して形成されると共に前記嵌挿口が配置される位置以外の前記下側壁面と接触する上側壁面と、を有し、光に対して不透明である上側筐体と、
前記光取出孔を開放する開位置と前記光取出孔を閉鎖する閉位置との間で移動可能に配置される蓋部材と、
を備え、
前記下側筐体は、前記嵌挿口が配置される位置の前記下側壁面の更に上方に向けて起立して形成されると共に前記上側壁面が形成されていない前記天面の縁部に接触する遮光面を更に有することを特徴とする通信光可視化モジュール。
【請求項２】
前記遮光面は、前記天面を超える高さまで起立して形成される請求項１に記載の通信光可視化モジュール。
【請求項３】
前記上側壁面が形成されていない前記天面の縁部を前記下側筐体に対して締結する複数の締結部材を更に有する請求項１又は２に記載の通信光可視化モジュール。
【請求項４】
前記蓋部材は、特定の光に対して透明である請求項１から３の何れか一項に記載の通信光可視化モジュール。
【請求項５】
前記下側筐体は、複数の前記通信光可視化アダプタから延在する光伝送路を相互に分離する光伝送路分離部を更に有する請求項１から４の何れか一項に記載の通信光可視化モジュール。
【請求項６】
前記下側筐体は、複数の前記通信光可視化アダプタから延在する光伝送路の余長部分が規定の曲げ半径で巻き付けられる余長巻回部を更に有する請求項１から５の何れか一項に記載の通信光可視化モジュール。
【請求項７】
前記下側筐体は、複数の前記通信光可視化アダプタから延在する光伝送路を保持する保持部を更に有する請求項１から６の何れか一項に記載の通信光可視化モジュール。
【発明の詳細な説明】
【技術分野】
【０００１】
本発明は、通信光を可視化して光伝送路の使用／不使用の状態を目視で確認するための通信光可視化モジュールに関する。
【背景技術】
【０００２】
光通信関連設備では、光伝送路の健全性を監視したり、人為的な通信用光コネクタの誤抜を防止したりするために、不可視光領域にある通信光を可視化して光伝送路の使用／不使用の状態（以下、通信状態という）を目視で確認している。
【０００３】
具体的には、受光素子と表示部とが搭載された通信光検知器を光取出孔が形成されたアダプタ（以下、通信光可視化アダプタという）に取り付け、光伝送路で伝送されている通信光の一部が光伝送路の途中に形成されている光取出部を通じて光伝送路の外部に取り出されてなる漏洩光を、光取出孔を通じて受光素子で受光することにより、光伝送路で通信光が伝送されているか否かを検知し、更に人間が目視で確認することができる形態で光伝送路の通信状態を表示部に表示し、これを作業者が観察することで光伝送路の通信状態を目視で確認している（例えば、特許文献１から特許文献４を参照）。
【０００４】
このとき、重大な通信障害を回避すべく、光伝送路で通信光が伝送されているか否かを高精度で検知する必要があるため、通信状態を確認したい光伝送路からの漏洩光のみを受光素子で受光することができるように、その他の光（以下、無関係光という）の影響から受光素子を保護するための十分な遮光性を確保することが重要となる。
【先行技術文献】
【特許文献】
【０００５】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【特許文献５】特開２０１１−０６０９８８号公報
【特許文献６】特開２０１１−０１３４９７号公報
【発明の概要】
【発明が解決しようとする課題】
【０００６】
通信光可視化アダプタは、通常のアダプタに改良を加えたものであり、その形状は通常のアダプタと略同様であるため、通常のアダプタと共通の光成端箱に搭載された上で通信光可視化モジュールとして使用されていることが多いと考えられるが（例えば、特許文献５及び特許文献６を参照）、通常のアダプタを使用する際には、そもそも無関係光による影響を考慮する必要が無いことから、従来技術に係る通信光可視化モジュールでは、当然ながら、無関係光による影響から受光素子を保護するための十分な遮光性が確保されていない。
【０００７】
そこで、本発明の目的は、無関係光による影響から受光素子を保護するための十分な遮光性を確保することが可能な通信光可視化モジュールを提供することにある。
【課題を解決するための手段】
【０００８】
この目的を達成するために創案された本発明は、漏洩光が取り出される光取出孔とコネクタが嵌挿される嵌挿口とを有する複数の通信光可視化アダプタと、複数の前記通信光可視化アダプタが前記光取出孔を上方に向けると共に前記嵌挿口を側方に向けて縁部の一辺に沿わせるように並列して配置される底面と、前記底面を囲繞するように前記底面の縁部の上方に向けて起立して形成されると共に前記嵌挿口が配置される位置に形成されたコネクタ嵌挿用開口を有する下側壁面と、を有し、光に対して不透明である下側筐体と、前記下側筐体を被覆する天面と、前記嵌挿口が配置される位置以外の前記下側壁面を囲繞するように前記天面の縁部の下方に向けて起立して形成されると共に前記嵌挿口が配置される位置以外の前記下側壁面と接触する上側壁面と、を有し、光に対して不透明である上側筐体と、前記光取出孔を開放する開位置と前記光取出孔を閉鎖する閉位置との間で移動可能に配置される蓋部材と、を備え、前記下側筐体は、前記嵌挿口が配置される位置の前記下側壁面の更に上方に向けて起立して形成されると共に前記上側壁面が形成されていない前記天面の縁部に接触する遮光面を更に有する通信光可視化モジュールである。
【０００９】
前記遮光面は、前記天面を超える高さまで起立して形成されると良い。
【００１０】
前記下側筐体は、複数の前記通信光可視化アダプタから延在する光伝送路を相互に分離する光伝送路分離部を更に有すると良い。
【００１１】
前記下側筐体は、複数の前記通信光可視化アダプタから延在する光伝送路の余長部分が規定の曲げ半径で巻き付けられる余長巻回部を更に有すると良い。
【００１２】
前記下側筐体は、複数の前記通信光可視化アダプタから延在する光伝送路を保持する保持部を更に有すると良い。
【００１３】
前記上側壁面が形成されていない前記天面の縁部を前記下側筐体に対して締結する複数の締結部材を更に有すると良い。
【００１４】
前記蓋部材は、特定の光に対して透明であると良い。
【発明の効果】
【００１５】
本発明によれば、無関係光による影響から受光素子を保護するための十分な遮光性を確保することが可能な通信光可視化モジュールを提供することができる。
【図面の簡単な説明】
【００１６】
【図１】本発明に係る通信光可視化モジュールを示す分解斜視図である。
【発明を実施するための形態】
【００１７】
以下、本発明の好適な実施の形態を添付図面にしたがって説明する。
【００１８】
図１に示すように、本発明の好適な実施の形態に係る通信光可視化モジュール１００は、漏洩光が取り出される光取出孔１０１とコネクタが嵌挿される嵌挿口１０２とを有する複数の通信光可視化アダプタ１０３と、底面１０４と下側壁面１０５とを有すると共に光に対して不透明である下側筐体１０６と、天面１０７と上側壁面１０８とを有すると共に光に対して不透明である上側筐体１０９と、光取出孔１０１を開放する開位置と光取出孔１０１を閉鎖する閉位置との間で移動可能に配置される蓋部材１１０と、を備えている。
【００１９】
光取出孔１０１は、通信光検知器に搭載された受光素子が無関係光を受光して光伝送路の通信状態を正確に確認することができなくなることを防止するために受光素子を無関係光から遮光するように収容し、また通信光検知器が通信光可視化アダプタ１０３に取り付けられているときに漏洩光を受光素子に向けて取り出す機能を有している。
【００２０】
ここで、漏洩光とは、光伝送路で伝送されている通信光の一部が光伝送路の途中に形成されている光取出部を通じて光伝送路の外部に取り出されてなる光を意味している。
【００２１】
光取出部としては、従来より知られている軸ズレ部等を採用することができるが、光取出部についての説明は本発明の主旨から逸れるため、本明細書では詳細な説明を避ける。
【００２２】
底面１０４は、複数の通信光可視化アダプタ１０３が光取出孔１０１を上方に向けると共に嵌挿口１０２を側方に向けて縁部の一辺に沿わせるように並列して配置される部分である。
【００２３】
下側壁面１０５は、底面１０４を囲繞するように底面１０４の縁部の上方に向けて起立して形成されると共に嵌挿口１０２が配置される位置に形成されたコネクタ嵌挿用開口１１１を有する部分である。
【００２４】
ここでは、底面１０４が略長方形の形状を呈しており、下側壁面１０５が前部に形成された下側前面部１１２と背部に形成された下側背面部１１３と側部に形成された２つの下側側面部１１４とからなり、嵌挿口１０２が下側前面部１１２に配置されており、下側前面部１１２にコネクタ嵌挿用開口１１１が形成されている形態を説明する。
【００２５】
また、下側筐体１０６は、複数の通信光可視化アダプタ１０３から延在する光伝送路を相互に分離する光伝送路分離部１１５と、複数の通信光可視化アダプタ１０３から延在する光伝送路の余長部分が規定の曲げ半径で巻き付けられる余長巻回部１１６と、複数の通信光可視化アダプタ１０３から延在する光伝送路を保持する保持部１１７と、を更に有している。
【００２６】
光伝送路分離部１１５は、棒状の形状を呈しており、複数の通信光可視化アダプタ１０３から延在する光伝送路を１経路ずつ分離して混線を防止するために、通信光可視化アダプタ１０３の数に対応して形成されている。
【００２７】
余長巻回部１１６は、光伝送路分離部１１５を挟んで通信光可視化アダプタ１０３と反対側に形成されており、所定の曲げ半径（例えば、１５ｍｍ）で複数の光伝送路を纏めて巻き回せるようになっている。
【００２８】
保持部１１７は、光伝送路に限らず、光伝送路の途中に配置された光学部品等も保持するようにかぎ爪形状に形成されている。
【００２９】
天面１０７は、下側筐体１０６を被覆する部分である。天面１０７には、蓋部材１１０が取り付けられており、その蓋部材１１０に形成されたタブ１１８を押すことにより、光取出孔１０１を閉鎖している蓋部材１１０の先端が持ち上がり、光取出孔１０１が開放されるようになっている。
【００３０】
上側壁面１０８は、嵌挿口１０２が配置される位置以外の下側壁面１０５を囲繞するように天面１０７の縁部の下方に向けて起立して形成されると共に嵌挿口１０２が配置される位置以外の下側壁面１０５と接触する部分である。
【００３１】
即ち、上側壁面１０８は、下側背面部１１３と殆ど隙間なく接触する上側背面部１１９と、下側側面部１１４と殆ど隙間なく接触する２つの上側側面部１２０と、を有している。
【００３２】
これらにより、通信光可視化モジュール１００では、下側壁面１０５と上側壁面１０８とが背部や側部で接触する、所謂カブセ蓋構造を成すことになるため、背部や側部から無関係光が進入することを防止することが可能となる。
【００３３】
このように、通信光可視化モジュール１００では、下側筐体１０６と上側筐体１０９とが光に対して不透明であるため（例えば、遮光のために光を吸収し易い黒色等に彩色されているため）、下側筐体１０６と上側筐体１０９とを全周に亘って殆ど隙間なく接触させることにより、内部に無関係光が進入することを防止することができる。
【００３４】
ところが、通信光可視化モジュール１００では、コネクタが通信光可視化アダプタ１０３の嵌挿口１０２に嵌挿されているときに、即ち、通信光可視化モジュール１００の使用中に、下側筐体１０６から上側筐体１０９を取り外して内部のメンテナンス等を行うことがあるため、上側筐体１０９の前部に上側壁面１０８を形成してしまうと、上側壁面１０８とコネクタや光伝送路との機械的な干渉により、下側筐体１０６から上側筐体１０９を取り外すことができなくなる。
【００３５】
この点を考慮して、上側筐体１０９は、下側筐体１０６と異なり下側前面部１１２に相当する部分を有していないことから、構造上、下側前面部１１２と十分に接触する部分が無く、使用環境の温度変化により、万が一、通信光可視化モジュール１００が変形し、天面１０７が浮き上がったときに天面１０７と下側前面部１１２との隙間から、即ち、前部から内部に無関係光が進入し易いという問題を抱えている。
【００３６】
この問題を解決して前部から内部に無関係光が進入することを防止すべく、下側筐体１０６は、嵌挿口１０２が配置される位置の下側壁面１０５の更に上方に向けて起立して形成されると共に上側壁面１０８が形成されていない天面１０７の縁部に接触する遮光面１２１を更に有している。
【００３７】
遮光面１２１は、天面１０７の前部と接触するように下側前面部１１２の上方に起立して形成されているため、天面１０７が浮き上がったとしても、天面１０７と下側前面部１１２との間に隙間を発生させずに前部から内部に無関係光が進入することを防止する機能を有している。
【００３８】
また、遮光面１２１は、天面１０７を超える高さまで起立して形成されていることが好ましい。これにより、天面１０７がより大きく浮き上がったとしても、前部から内部に無関係光が進入することを防止することができるからである。
【００３９】
また、通信光可視化モジュール１００は、上側壁面１０８が形成されていない天面１０７の縁部を下側筐体１０６に対して締結する複数の締結部材１２２を更に有していることが好ましい。これにより、天面１０７の浮き上がりを未然に防ぐことができる。
【００４０】
以上の通り、通信光可視化モジュール１００では、前述の問題を解決しており、無関係光による影響から受光素子を保護するための十分な遮光性を確保することが可能となる。
【００４１】
なお、本発明は、前述の実施の形態に限定されるものでは無く、種々の変更を加えることが可能である。
【００４２】
例えば、蓋部材１１０は、特定の光に対して透明であっても良い。これにより、特定の光として可視光を使用して光伝送路で伝送させたときに、蓋部材１１０を通じて可視光を目視で確認することができ、通信光検知器を使用しなくても、光伝送路の健全性を確認することが可能となる。
【符号の説明】
【００４３】
１００  通信光可視化モジュール
１０１  光取出孔
１０２  嵌挿口
１０３  通信光可視化アダプタ
１０４  底面
１０５  下側壁面
１０６  下側筐体
１０７  天面
１０８  上側壁面
１０９  上側筐体
１１０  蓋部材
１１１  コネクタ嵌挿用開口
１１２  下側前面部
１１３  下側背面部
１１４  下側側面部
１１５  光伝送路分離部
１１６  余長巻回部
１１７  保持部
１１８  タブ
１１９  上側背面部
１２０  上側側面部
１２１  遮光面
１２２  締結部材
【図１】
2015200708.tif 000003